(57)【要約】【課題】形状が異なる種々の有価証券等を同一の収納容器へ収納する際に、人手判断にたよらず、容器類に無駄無く、かつ満杯にならないよう収納可能となる。【解決手段】収納する有価証券等の形状種別に基いてあらかじめ設定されている容量係数をもとめ、この容量係数と枚数とにより収納容量を算出し、この算出された収納容量と収納容器の現在の収納容量の加算結果と、収納容器の満杯条件とを比較することにより、収納容器の満杯を判断するものである。【選択図】      図１
2005339048.tif 000002
【特許請求の範囲】
【請求項１】
種々の形状の有価証券等を収納容器へ収納する有価証券等の収納システムにおいて、
収納する有価証券等の形状種別と枚数を入力する入力手段と、
この入力手段により入力された形状種別に基いてあらかじめ設定されている容量係数をもとめ、この容量係数と上記入力手段により入力された枚数とにより上記収納容器の収納容量を算出する算出手段と、
この算出手段により算出された収納容量と上記収納容器の現在の収納容量の加算結果と、上記収納容器の満杯条件とを比較することにより、上記収納容器の満杯を判断する判断手段と、
この判断手段により上記収納容器の満杯を判断しなかった際に、上記加算結果により上記収納容器の現在の収納容量を更新する更新手段と、
を具備したことを特徴とする有価証券等の収納システム。
【請求項２】
種々の形状の有価証券等を収納容器へ収納する有価証券等の収納システムにおいて、
収納する有価証券等の形状種別と枚数を入力する入力手段と、
この入力手段により入力された形状種別に基いてあらかじめ設定されている容量係数をもとめ、この容量係数と上記入力手段により入力された枚数とにより上記収納容器の収納容量を算出する算出手段と、
この算出手段により算出された収納容量と上記収納容器の現在の収納容量の加算結果と、上記収納容器の満杯条件とを比較することにより、上記収納容器の満杯を判断する判断手段と、
この判断手段により上記収納容器の満杯を判断しなかった際に、上記加算結果により上記収納容器の現在の収納容量を更新するとともに、上記入力された形状種別と枚数を上記収納容器の収納内容として記憶する第１の処理手段と、
上記判断手段により上記収納容器の満杯を判断した際に、上記収納容器の収納内容を出力するとともに、上記収納容器の収納容量をクリアする第２の処理手段と、
を具備したことを特徴とする有価証券等の収納システム。
【請求項３】
種々の形状の有価証券等を所定容量の小袋に収納して収納容器へ収納する有価証券等の収納システムにおいて、
収納する有価証券等の形状種別と枚数を入力する入力手段と、
この入力手段により入力された形状種別に基いてあらかじめ設定されている容量係数をもとめ、この容量係数と上記入力手段により入力された上記収納容器の枚数とにより上記収納容器の収納容量を算出する算出手段と、
この算出手段により算出された収納容量と上記収納容器の現在の収納容量の加算結果と、上記収納容器の満杯条件とを比較することにより、上記収納容器の満杯を判断する第１の判断手段と、
この第１の判断手段により上記収納容器の満杯を判断しなかった際に、上記加算結果により上記収納容器の現在の収納容量を更新する更新手段と、
上記第１の判断手段により上記収納容器の満杯を判断しなかった際に、上記算出手段による収納容量と上記小袋の現在の収納容量の加算結果と、上記小袋の満杯条件とを比較することにより、上記小袋の満杯を判断する第２の判断手段と、
この第２の判断手段により上記小袋の満杯を判断しなかった際に、上記加算結果により上記小袋の現在の収納容量を更新するとともに、上記入力された形状種別と枚数を上記小袋の収納内容として記憶する第１の処理手段と、
上記第２の判断手段により上記小袋の満杯を判断した際に、上記小袋の収納内容を出力するとともに、上記小袋の収納容量をクリアする第２の処理手段と、
を具備したことを特徴とする有価証券等の収納システム。
【請求項４】
種々の形状の有価証券等を所定容量の小袋に収納して収納容器へ収納する有価証券等の収納システムにおいて、
収納する有価証券等の形状種別と枚数を入力する入力手段と、
この入力手段により入力された形状種別に基いてあらかじめ設定されている容量係数をもとめ、この容量係数と上記入力手段により入力された枚数とにより上記収納容器の収納容量を算出する算出手段と、
この算出手段により算出された収納容量と上記収納容器の現在の収納容量の加算結果と、上記収納容器の満杯条件とを比較することにより、上記収納容器の満杯を判断する第１の判断手段と、
この第１の判断手段により上記収納容器の満杯を判断しなかった際に、上記加算結果により上記収納容器の現在の収納容量を更新するとともに、上記入力された形状種別と枚数を上記収納容器の収納内容として記憶する第１の処理手段と、
上記第１の判断手段により上記収納容器の満杯を判断した際に、上記収納容器の収納内容を出力するとともに、上記収納容器の収納容量をクリアする第２の処理手段と、
上記第１の判断手段により上記収納容器の満杯を判断しなかった際に、上記算出手段による収納容量と上記小袋の現在の収納容量の加算結果と、上記小袋の満杯条件とを比較することにより、上記小袋の満杯を判断する第２の判断手段と、
この第２の判断手段により上記小袋の満杯を判断しなかった際に、上記加算結果により上記小袋の現在の収納容量を更新するとともに、上記入力された形状種別と枚数を上記小袋の収納内容として記憶する第３の処理手段と、
上記第２の判断手段により上記小袋の満杯を判断した際に、上記小袋の収納内容を出力するとともに、上記小袋の収納容量をクリアする第４の処理手段と、
を具備したことを特徴とする有価証券等の収納システム。
【請求項５】
種々の形状の有価証券等を収納容器へ収納する有価証券等の収納方法において、
収納する有価証券等の形状種別と枚数を入力する入力工程と、
この入力工程により入力された形状種別に基いてあらかじめ設定されている容量係数をもとめ、この容量係数とこの容量係数と上記入力工程により入力された枚数とにより上記収納容器の収納容量を算出する算出工程と、
この算出工程により算出された収納容量と上記収納容器の現在の収納容量の加算結果と、上記収納容器の満杯条件とを比較することにより、上記収納容器の満杯を判断する判断工程と、
この判断工程により上記収納容器の満杯を判断しなかった際に、上記加算結果により上記収納容器の現在の収納容量を更新する更新工程と、
を有することを特徴とする有価証券等の収納方法。
【請求項６】
種々の形状の有価証券等を収納容器へ収納する有価証券等の収納方法において、
収納する有価証券等の形状種別と枚数を入力する入力工程と、
この入力工程により入力された形状種別に基いてあらかじめ設定されている容量係数をもとめ、この容量係数とこの容量係数と上記入力工程により入力された枚数とにより上記収納容器の収納容量を算出する算出工程と、
この算出工程により算出された収納容量と上記収納容器の現在の収納容量の加算結果と、上記収納容器の満杯条件とを比較することにより、上記収納容器の満杯を判断する判断工程と、
この判断工程により上記収納容器の満杯を判断しなかった際に、上記加算結果により上記収納容器の現在の収納容量を更新するとともに、上記入力された形状種別と枚数を上記収納容器の収納内容として記憶する第１の処理工程と、
上記判断工程により上記収納容器の満杯を判断した際に、上記収納容器の収納内容を出力するとともに、上記収納容器の収納容量をクリアする第２の処理工程と、
を有することを特徴とする有価証券等の収納方法。
【請求項７】
種々の形状の有価証券等を所定容量の小袋に収納して収納容器へ収納する有価証券等の収納方法において、
収納する有価証券等の形状種別と枚数を入力する入力工程と、
この入力工程により入力された形状種別に基いてあらかじめ設定されている容量係数をもとめ、この容量係数とこの容量係数と上記入力工程により入力された枚数とにより上記収納容器の収納容量を算出する算出工程と、
この算出工程により算出された収納容量と上記収納容器の現在の収納容量の加算結果と、上記収納容器の満杯条件とを比較することにより、上記収納容器の満杯を判断する第１の判断工程と、
この第１の判断工程により上記収納容器の満杯を判断しなかった際に、上記加算結果により上記収納容器の現在の収納容量を更新する更新工程と、
上記第１の判断工程により上記収納容器の満杯を判断しなかった際に、上記算出工程による収納容量と上記小袋の現在の収納容量の加算結果と、上記小袋の満杯条件とを比較することにより、上記小袋の満杯を判断する第２の判断工程と、
この第２の判断工程により上記小袋の満杯を判断しなかった際に、上記加算結果により上記小袋の現在の収納容量を更新するとともに、上記入力された形状種別と枚数を上記小袋の収納内容として記憶する第１の処理工程と、
上記第２の判断工程により上記小袋の満杯を判断した際に、上記小袋の収納内容を出力するとともに、上記小袋の収納容量をクリアする第２の処理工程と、
を有することを特徴とする有価証券等の収納方法。
【請求項８】
種々の形状の有価証券等を所定容量の小袋に収納して収納容器へ収納する有価証券等の収納方法において、
収納する有価証券等の形状種別と枚数を入力する入力工程と、
この入力工程により入力された形状種別に基いてあらかじめ設定されている容量係数をもとめ、この容量係数とこの容量係数と上記入力工程により入力された枚数とにより上記収納容器の収納容量を算出する算出工程と、
この算出工程により算出された収納容量と上記収納容器の現在の収納容量の加算結果と、上記収納容器の満杯条件とを比較することにより、上記収納容器の満杯を判断する第１の判断工程と、
この第１の判断工程により上記収納容器の満杯を判断しなかった際に、上記加算結果により上記収納容器の現在の収納容量を更新するとともに、上記入力された形状種別と枚数を上記収納容器の収納内容として記憶する第１の処理工程と、
上記第１の判断工程により上記収納容器の満杯を判断した際に、上記収納容器の収納内容を出力するとともに、上記収納容器の収納容量をクリアする第２の処理工程と、
上記第１の判断工程により上記収納容器の満杯を判断しなかった際に、上記算出工程による収納容量と上記小袋の現在の収納容量の加算結果と、上記小袋の満杯条件とを比較することにより、上記小袋の満杯を判断する第２の判断工程と、
この第２の判断工程により上記小袋の満杯を判断しなかった際に、上記加算結果により上記小袋の現在の収納容量を更新するとともに、上記入力された形状種別と枚数を上記小袋の収納内容として記憶する第３の処理工程と、
上記第２の判断工程により上記小袋の満杯を判断した際に、上記小袋の収納内容を出力するとともに、上記小袋の収納容量をクリアする第４の処理工程と、
を有することを特徴とする有価証券等の収納方法。
【発明の詳細な説明】
【技術分野】
【０００１】
この発明は、形状が異なる種々の有価証券等を同一の収納容器へ収納する有価証券等の収納システムと有価証券等の収納方法に関する。
【背景技術】
【０００２】
従来、有価証券等の収納のため容器類への収納を行なうが、後で検索できるように適当な管理単位にし、容器類に無駄無く、かつ満杯にならないよう収納しなくてはいけない。
【０００３】
形状が違う有価証券等を同一の容器類への収納するためには、人手判断で収納単位を決め、事前に満杯にならないように収納テストをする必要があった。
【０００４】
ちなみに、形状が違う有価証券等を容器類への収納するためには、運用で形状別に収納したり、平均的な形状を基本として枚数だけで満杯枚数を決めて収納するのが一般的である。
【０００５】
その場合の問題点として、その判断を人手で行なっていたため、手間がかかるうえ、個人差や収納ミスが生じていた。また、容器内の分類単位（以下、小袋類）も同じ問題があった。その結果として、後日に行なわれる有価証券等の検索にも、手間取ることが多かった。
【発明の開示】
【発明が解決しようとする課題】
【０００６】
この発明は、形状が異なる種々の有価証券等を同一の収納容器へ収納する際に、人手判断にたよらず、容器類に無駄無く、かつ満杯にならないよう収納可能となる有価証券等の収納システムと有価証券等の収納方法を提供することを目的とする。
【課題を解決するための手段】
【０００７】
この発明は、種々の形状の有価証券等を収納容器へ収納する有価証券等の収納システムにおいて、収納する有価証券等の形状種別と枚数を入力する入力手段と、この入力手段により入力された形状種別に基いてあらかじめ設定されている容量係数をもとめ、この容量係数と上記入力手段により入力された枚数とにより上記収納容器の収納容量を算出する算出手段と、この算出手段により算出された収納容量と上記収納容器の現在の収納容量の加算結果と、上記収納容器の満杯条件とを比較することにより、上記収納容器の満杯を判断する判断手段と、この判断手段により上記収納容器の満杯を判断しなかった際に、上記加算結果により上記収納容器の現在の収納容量を更新する更新手段とを有する。
【０００８】
この発明は、種々の形状の有価証券等を収納容器へ収納する有価証券等の収納システムにおいて、収納する有価証券等の形状種別と枚数を入力する入力手段と、この入力手段により入力された形状種別に基いてあらかじめ設定されている容量係数をもとめ、この容量係数と上記入力手段により入力された枚数とにより上記収納容器の収納容量を算出する算出手段と、この算出手段により算出された収納容量と上記収納容器の現在の収納容量の加算結果と、上記収納容器の満杯条件とを比較することにより、上記収納容器の満杯を判断する判断手段と、この判断手段により上記収納容器の満杯を判断しなかった際に、上記加算結果により上記収納容器の現在の収納容量を更新するとともに、上記入力された形状種別と枚数を上記収納容器の収納内容として記憶する第１の処理手段と、上記判断手段により上記収納容器の満杯を判断した際に、上記収納容器の収納内容を出力するとともに、上記収納容器の収納容量をクリアする第２の処理手段とを有する。
【０００９】
この発明は、種々の形状の有価証券等を所定容量の小袋に収納して収納容器へ収納する有価証券等の収納システムにおいて、収納する有価証券等の形状種別と枚数を入力する入力手段と、この入力手段により入力された形状種別に基いてあらかじめ設定されている容量係数をもとめ、この容量係数と上記入力手段により入力された枚数とにより上記収納容器の収納容量を算出する算出手段と、この算出手段により算出された収納容量と上記収納容器の現在の収納容量の加算結果と、上記収納容器の満杯条件とを比較することにより、上記収納容器の満杯を判断する第１の判断手段と、この第１の判断手段により上記収納容器の満杯を判断しなかった際に、上記加算結果により上記収納容器の現在の収納容量を更新する更新手段と、上記第１の判断手段により上記収納容器の満杯を判断しなかった際に、上記算出手段による収納容量と上記小袋の現在の収納容量の加算結果と、上記小袋の満杯条件とを比較することにより、上記小袋の満杯を判断する第２の判断手段と、この第２の判断手段により上記小袋の満杯を判断しなかった際に、上記加算結果により上記小袋の現在の収納容量を更新するとともに、上記入力された形状種別と枚数を上記小袋の収納内容として記憶する第１の処理手段と、上記第２の判断手段により上記小袋の満杯を判断した際に、上記小袋の収納内容を出力するとともに、上記小袋の収納容量をクリアする第２の処理手段とを有する。
【００１０】
この発明は、種々の形状の有価証券等を所定容量の小袋に収納して収納容器へ収納する有価証券等の収納システムにおいて、収納する有価証券等の形状種別と枚数を入力する入力手段と、この入力手段により入力された形状種別に基いてあらかじめ設定されている容量係数をもとめ、この容量係数と上記入力手段により入力された枚数とにより上記収納容器の収納容量を算出する算出手段と、この算出手段により算出された収納容量と上記収納容器の現在の収納容量の加算結果と、上記収納容器の満杯条件とを比較することにより、上記収納容器の満杯を判断する第１の判断手段と、この第１の判断手段により上記収納容器の満杯を判断しなかった際に、上記加算結果により上記収納容器の現在の収納容量を更新するとともに、上記入力された形状種別と枚数を上記収納容器の収納内容として記憶する第１の処理手段と、上記第１の判断手段により上記収納容器の満杯を判断した際に、上記収納容器の収納内容を出力するとともに、上記収納容器の収納容量をクリアする第２の処理手段と、上記第１の判断手段により上記収納容器の満杯を判断しなかった際に、上記算出手段による収納容量と上記小袋の現在の収納容量の加算結果と、上記小袋の満杯条件とを比較することにより、上記小袋の満杯を判断する第２の判断手段と、この第２の判断手段により上記小袋の満杯を判断しなかった際に、上記加算結果により上記小袋の現在の収納容量を更新するとともに、上記入力された形状種別と枚数を上記小袋の収納内容として記憶する第３の処理手段と、上記第２の判断手段により上記小袋の満杯を判断した際に、上記小袋の収納内容を出力するとともに、上記小袋の収納容量をクリアする第４の処理手段とを有する。
【発明の効果】
【００１１】
この発明によれば、形状が異なる種々の有価証券等を同一の収納容器へ収納する際に、人手判断にたよらず、容器類に無駄無く、かつ満杯にならないよう収納可能となる有価証券等の収納システムと有価証券等の収納方法を提供できる。
【発明を実施するための最良の形態】
【００１２】
以下、この発明の一実施形態について図面を参照して説明する。
【００１３】
図１は、有価証券等を容器類への収納を管理するシステムの例である。このシステム構成的には汎用パソコンで構成されたサーバ／クライアントシステムである。このサーバ／クライアントシステムとしては、画面入力等を行う操作クライアント１、…と、これらの操作クライアント１、…とＬＡＮ等の通信回線２を介して接続され、各種マスタデータや入力情報が格納されるデータベースサーバ３により構成されている。
【００１４】
このデータベースサーバ３にはデータベース４が備えられている。このデータベース４には、小袋情報テーブル１０、収納容器情報テーブル１１、形状種別テーブル１２が設けられている。
小袋情報テーブル１０は、小袋情報ごとの収納内容が登録されるものであり、図２に示すように、容器番号に対して子袋番号、取引番号、形状種別、枚数が登録される。
収納容器情報テーブル１１は、各収納容器ごとの収納内容が登録されるものであり、図３に示すように、容器番号に対して、取引番号、形状種別、枚数が登録される。
形状種別テーブル１２は、図４に示すように、形状種別に対する形状名称、容量係数をあらかじめ登録しているものである。
上記操作クライアント１は、図５に示すような、収納情報入力画面が表示されるようになっている。例えば、入力された取引番号、形状種別、枚数が各表示領域１３ａ、１３ｂ、１３ｃ内で表示され、入力内容の確定時に入力される確定ボタン１３ｄ、小袋に対する強制締切りを指示する小袋類締切ボタン１３ｅ、収納容器に対する強制締切りを指示する容器類締切ボタン１３ｆも表示されている。また、上記操作クライアント１には、プリンタが接続され、種々のデータが印刷されるようになっている。
【００１５】
次に、上記構成において、図６に示すフローチャートを参照しつつ、有価証券等の収納手順について説明する。
まず、オペレータが操作クライアント１を用いて収納する有価証券等の収納情報の入力を行う（Ａ１）。この際、収納情報として取引番号「２００３１０１７３」、形状種別番号「１１１」、収納枚数「５０」が入力され、操作クライアント１の表示画面１３により図５に示すような収納情報入力画面を表示する。この際、操作クライアント１とデータベースサーバ３の形状種別テーブル１２とのやりとりにより、形状種別番号「１１１」に対する形状名称「１１５回ＡＢＣ社社債」を取得して同時に表示（確認用）するものとなっている。
ついで、オペレータは、表示内容が満足できるものである場合、確定ボタン１３ｄを入力する。これにより、操作クライアント１は形状種別に対する容量係数をデータベースサーバ３の形状種別テーブル１２を参照して検索し（Ａ２）、当該の容量係数と枚数を掛算して単体としての容量を計算する（Ａ３）。例えば、画面入力した形状種別が１１１の場合は、容量係数は１のため、枚数が５０枚ならば、容量は５０となる。
【００１６】
次に、利用中の容器情報（図３）を取込み（Ａ４）、上記の直前に画面入力した単体容量を加算した容器類容量を計算する（Ａ５）。例えば、形状種別１１３は容量係数３で枚数１０のため容量は３０、形状種別１１５は容量係数１０で枚数２０枚のため容量は２００が既に入っている場合は、３つの合計容量は２８０となる。
【００１７】
ここで、容器類の満杯の条件が容量５０００とした場合、容器の満杯条件を満たした場合（Ａ６）は、小袋情報テーブル１０から取得した小袋情報を図示しないプリンタにより印刷し（Ａ７）、この印刷後、小袋情報テーブル１０の小袋情報（図２）をクリアする（Ａ８）。ついで、容器情報テーブル１１から取得した容器情報を図示しないプリンタにより印刷し（Ａ９）、この印刷後、容器情報テーブル１１の容器情報（図３）をクリアする（Ａ１０）。このクリア後、容器情報テーブル１１の容器情報（図３）に画面入力したデータを追加する（Ａ１１）。
【００１８】
次に、利用中の小袋情報（図２）を取込み（Ａ１２）、上記単体容量を加算した容器類容量を計算する（Ａ１３）。例えば、形状種別１１３は容量係数３で枚数１０枚のため容量は３０、形状種別１１５は容量係数１０で枚数２０枚のため容量は２００が既に入っている場合は、３つの合計は２８０となる。ここで、小袋類の満杯の条件が容量５００とした場合、小袋の満杯条件を満たした場合（Ａ１４）は、小袋情報テーブル１０から取得した小袋情報を図示しないプリンタにより印刷し（Ａ１５）、この印刷後、小袋情報テーブル１０の小袋情報（図２）をクリアする（Ａ１６）。このクリア後、小袋情報テーブル１０の小袋情報（図２）に画面入力したデータを追加する（Ａ１７）。
【００１９】
図７は、図５の画面例にある満杯前に手動での小袋類を締切する手順である。例えば今、小袋類締切ボタン１３ｅを押すと（Ｂ１）、小袋情報テーブル１０から取得した小袋情報を図示しないプリンタにより印刷し（Ｂ２）、この印刷後、小袋情報テーブル１０の小袋情報（図２）をクリアする（Ｂ３）。
【００２０】
また、図８は、図５の画面例にある満杯前に手動での容器類を締切する手順である。たとえば今、容器類締切ボタン１３ｆを押すと（Ｃ１）、小袋情報テーブル１０から取得した小袋情報を図示しないプリンタにより印刷し（Ｃ２）、この印刷後、小袋情報テーブル１０の小袋情報（図２）をクリアする（Ｃ３）。ついで、容器情報テーブル１１から取得した容器情報を図示しないプリンタにより印刷し（Ｃ４）、この印刷後、容器情報テーブル１１の容器情報（図３）をクリアする（Ｃ５）。
【００２１】
上記したように、形状が違う有価証券等の収納に関して、同一容器類への収納するにあたり、人手判断にたよらず、容器類に無駄無く、かつ満杯にならないよう収納可能となる。
【００２２】
また、容器類だけでなく、容器内の分類単位（小袋類）も同じく、人手にたよらず、無駄無く、適当な単位に分割できる。
【００２３】
さらに、容器類および小袋類の検索および管理が容易になる。
【図面の簡単な説明】
【００２４】
【図１】この発明の一実施形態を説明するためのシステムの概略構成を示す図。
【図２】小袋情報テーブルの記憶例を示す図。
【図３】容器情報テーブルの記憶例を示す図。
【図４】形状種別テーブルの記憶例を説明するための図。
【図５】操作クライアントにおける収納情報入力画面を説明するための図。
【図６】有価証券等の収納手順を説明するためのフローチャート。
【図７】手動での小袋類を締切する手順を説明するためのフローチャート。
【図８】手動での容器類を締切する手順を説明するためのフローチャート。
【符号の説明】
【００２５】
１…操作クライアント  ３…データベースサーバ  １０…小袋情報テーブル  １１…容器情報テーブル  １２…形状種別テーブル
【図１】
2005339048.tif 000003
【図２】
2005339048.tif 000004
【図３】
2005339048.tif 000005
【図４】
2005339048.tif 000006
【図５】
2005339048.tif 000007
【図６】
2005339048.tif 000008
【図７】
2005339048.tif 000009
【図８】
2005339048.tif 000010